(57)【要約】本発明による光音響診断装置は、パルス光源と、電気信号変換部と、血液分布取得部と、診断部と、を備え、人体の皮膚の状態を診断する。パルス光源がパルス光を発生して、電気信号変換部が、前記パルス光により前記皮膚において発生した光音響波を受けて、電気信号に変換する。そして、血液分布取得部が、前記電気信号に基づき、前記皮膚における血液の分布を取得して、診断部が、前記血液分布取得部の取得結果に基づき、前記皮膚の状態を診断する。
2013183401.tif 000002
【特許請求の範囲】
【請求項１】
人体の皮膚の状態を診断する光音響診断装置であって、
パルス光を発生するパルス光源と、
前記パルス光により前記皮膚において発生した光音響波を受けて、電気信号に変換する電気信号変換部と、
前記電気信号に基づき、前記皮膚における血液の分布を取得する血液分布取得部と、
前記血液分布取得部の取得結果に基づき、前記皮膚の状態を診断する診断部と、
を備えた光音響診断装置。
【請求項２】
請求項１に記載の光音響診断装置であって、
前記診断部は、前記皮膚の表皮または真皮における血液の分布に基づき、診断を行う、
光音響診断装置。
【請求項３】
請求項２に記載の光音響診断装置であって、
前記診断部は、前記皮膚の表皮または真皮における血液の分布に基づき、熱傷の診断を行う、
光音響診断装置。
【請求項４】
請求項２に記載の光音響診断装置であって、
前記診断部は、前記皮膚の表皮または真皮における血液の分布に基づき、壊疽の診断を行う、
光音響診断装置。
【請求項５】
請求項２に記載の光音響診断装置であって、
前記診断部は、前記皮膚の表皮または真皮における血液の分布に基づき、褥瘡の診断を行う、
光音響診断装置。
【請求項６】
請求項１に記載の光音響診断装置であって、
前記パルス光が２種類以上の波長成分を有し、
前記診断部は、各波長成分に対応する前記電気信号に基づき、前記皮膚に存在する物質の状態を診断する、
光音響診断装置。
【請求項７】
請求項６に記載の光音響診断装置であって、
前記皮膚に存在する物質は、酸素化ヘモグロビンおよび脱酸素化ヘモグロビンである、
光音響診断装置。
【請求項８】
請求項１に記載の光音響診断装置であって、
前記血液分布取得部の取得結果を表示する表示部を備えた光音響診断装置。
【請求項９】
請求項１に記載の光音響診断装置であって、
前記パルス光源がファイバーレーザーである光音響診断装置。
【請求項１０】
人体の皮膚の状態を診断する光音響診断装置であって、パルス光を発生するパルス光源と、前記パルス光により前記皮膚において発生した光音響波を受けて、電気信号に変換する電気信号変換部とを有する光音響診断装置を用いた光音響診断方法であって、
前記電気信号に基づき、前記皮膚における血液の分布を取得する血液分布取得工程と、
前記血液分布取得工程の取得結果に基づき、前記皮膚の状態を診断する診断工程と、
を備えた光音響診断方法。
【請求項１１】
人体の皮膚の状態を診断する光音響診断装置であって、パルス光を発生するパルス光源と、前記パルス光により前記皮膚において発生した光音響波を受けて、電気信号に変換する電気信号変換部とを有する光音響診断装置を用いた光音響診断処理をコンピュータに実行させるためのプログラムであって、
前記光音響診断処理が、
前記電気信号に基づき、前記皮膚における血液の分布を取得する血液分布取得工程と、
前記血液分布取得工程の取得結果に基づき、前記皮膚の状態を診断する診断工程と、
を備えたプログラム。
【請求項１２】
人体の皮膚の状態を診断する光音響診断装置であって、パルス光を発生するパルス光源と、前記パルス光により前記皮膚において発生した光音響波を受けて、電気信号に変換する電気信号変換部とを有する光音響診断装置を用いた光音響診断処理をコンピュータに実行させるためのプログラムを記録したコンピュータによって読み取り可能な記録媒体であって、
前記光音響診断処理が、
前記電気信号に基づき、前記皮膚における血液の分布を取得する血液分布取得工程と、
前記血液分布取得工程の取得結果に基づき、前記皮膚の状態を診断する診断工程と、
を備えた記録媒体。
【発明の詳細な説明】
【技術分野】
【０００１】
本発明は、光音響波を用いた熱傷などの診断に関する。
【背景技術】
【０００２】
従来より、パルス光を被測定物（例えば、生体）に照射することにより得られる光音響信号を測定する光音響センサ（例えば、特許文献１（特開２０１１−２２９６６０号公報）を参照）が知られている。
【発明の概要】
【０００３】
本発明は、光音響センサにより得られる光音響信号を用いて人体の診断を行うことを課題とする。
本発明にかかる光音響診断装置は、人体の皮膚の状態を診断する光音響診断装置であって、パルス光を発生するパルス光源と、前記パルス光により前記皮膚において発生した光音響波を受けて、電気信号に変換する電気信号変換部と、前記電気信号に基づき、前記皮膚における血液の分布を取得する血液分布取得部と、前記血液分布取得部の取得結果に基づき、前記皮膚の状態を診断する診断部とを備えるように構成される。
上記のように構成された光音響波測定装置によれば、人体の皮膚の状態を診断する光音響診断装置が提供される。パルス光源が、パルス光を発生する。電気信号変換部が、前記パルス光により前記皮膚において発生した光音響波を受けて、電気信号に変換する。血液分布取得部が、前記電気信号に基づき、前記皮膚における血液の分布を取得する。診断部が、前記血液分布取得部の取得結果に基づき、前記皮膚の状態を診断する。
なお、本発明にかかる光音響診断装置は、前記診断部が、前記皮膚の表皮または真皮における血液の分布に基づき、診断を行うようにしてもよい。
なお、本発明にかかる光音響診断装置は、前記診断部が、前記皮膚の表皮または真皮における血液の分布に基づき、熱傷の診断を行うようにしてもよい。
なお、本発明にかかる光音響診断装置は、前記診断部が、前記皮膚の表皮または真皮における血液の分布に基づき、壊疽の診断を行うようにしてもよい。
なお、本発明にかかる光音響診断装置は、前記診断部が、前記皮膚の表皮または真皮における血液の分布に基づき、褥瘡の診断を行うようにしてもよい。
なお、本発明にかかる光音響診断装置は、前記パルス光が２種類以上の波長成分を有し、前記診断部は、各波長成分に対応する前記電気信号に基づき、前記皮膚に存在する物質の状態を診断するようにしてもよい。
なお、本発明にかかる光音響診断装置は、前記皮膚に存在する物質が、酸素化ヘモグロビンおよび脱酸素化ヘモグロビンであるようにしてもよい。
なお、本発明にかかる光音響診断装置は、前記血液分布取得部の取得結果を表示する表示部を備えるようにしてもよい。
なお、本発明にかかる光音響診断装置は、前記パルス光源がファイバーレーザーであるようにしてもよい。
本発明は、人体の皮膚の状態を診断する光音響診断装置であって、パルス光を発生するパルス光源と、前記パルス光により前記皮膚において発生した光音響波を受けて、電気信号に変換する電気信号変換部とを有する光音響診断装置を用いた光音響診断方法であって、前記電気信号に基づき、前記皮膚における血液の分布を取得する血液分布取得工程と、前記血液分布取得工程の取得結果に基づき、前記皮膚の状態を診断する診断工程とを備えた光音響診断方法である。
本発明は、人体の皮膚の状態を診断する光音響診断装置であって、パルス光を発生するパルス光源と、前記パルス光により前記皮膚において発生した光音響波を受けて、電気信号に変換する電気信号変換部とを有する光音響診断装置を用いた光音響診断処理をコンピュータに実行させるためのプログラムであって、前記光音響診断処理が、前記電気信号に基づき、前記皮膚における血液の分布を取得する血液分布取得工程と、前記血液分布取得工程の取得結果に基づき、前記皮膚の状態を診断する診断工程とを備えたプログラムである。
本発明は、人体の皮膚の状態を診断する光音響診断装置であって、パルス光を発生するパルス光源と、前記パルス光により前記皮膚において発生した光音響波を受けて、電気信号に変換する電気信号変換部とを有する光音響診断装置を用いた光音響診断処理をコンピュータに実行させるためのプログラムを記録したコンピュータによって読み取り可能な記録媒体であって、前記光音響診断処理が、前記電気信号に基づき、前記皮膚における血液の分布を取得する血液分布取得工程と、前記血液分布取得工程の取得結果に基づき、前記皮膚の状態を診断する診断工程とを備えた記録媒体である。
【図面の簡単な説明】
【０００４】
第１図は、本発明の実施形態にかかる光音響診断装置１の構成を示す機能ブロック図である。
第２図は、皮膚２が熱傷（ＩＩ度）を負った場合の画像表示部２０の表示例（第２図（ａ）参照）、皮膚２が熱傷（ＩＩＩ度）を負った場合の画像表示部２０の表示例（第２図（ｂ）参照）を示す図である。
【発明を実施するための形態】
【０００５】
以下、本発明の実施形態を図面を参照しながら説明する。
第１図は、本発明の実施形態にかかる光音響診断装置１の構成を示す機能ブロック図である。光音響診断装置１は、光源１０、超音波トランスデューサ（電気信号変換部）１２、Ａ／Ｄコンバータ１４、血液分布取得部１６、診断部１８、画像表示部２０を備える。
光音響診断装置１は、人体の皮膚２の状態を診断する。
光源１０は、パルス光を発生する。パルス光の波長は、１種類でもよいが、２種類以上の波長成分を有していてもよい。光源１０は、ファイバーレーザー（例えば光ファイバリングレーザ）を用いると、光音響診断装置１の小型化を図ることができる。
皮膚２には血管２ａがあり、血管２ａがパルス光を受けると、光音響波が発生する。超音波トランスデューサ１２は、光音響波を受けて、電気信号（例えば、電圧）に変換する。超音波トランスデューサ１２は、例えば、圧電素子である。超音波トランスデューサ１２は、複数個設けられていることが好ましい。
Ａ／Ｄコンバータ１４は、各々の超音波トランスデューサ１２に接続されており、各々の超音波トランスデューサ１２の出力する電気信号（アナログ信号である）をデジタル信号に変換する。
血液分布取得部１６は、電気信号をＡ／Ｄコンバータ１４を介して受け、電気信号に基づき、皮膚２における血液の分布を取得する。
血液の分布として、血液の深度を求める。血液の深度とは、皮膚２の表面を基準とした血液（例えば、血管２ａ内に存在する血液）の深さｄである。深さｄは、例えば、ｃ（ｔ１−ｔ０）として求めることができる。ただし、ｃは音速（光音響波が皮膚２内を進行する速度）、ｔ１は光音響波が超音波トランスデューサ１２に到達した時点、ｔ０はパルス光の発生時点である。なお、血液分布取得部１６は、パルス光の発生時点ｔ０を、光源１０から受け取る。
診断部１８は、血液分布取得部１６の取得結果に基づき、皮膚２の状態を診断する。画像表示部２０は、血液分布取得部１６の取得結果を表示する。
第２図は、皮膚２が熱傷（ＩＩ度）を負った場合の画像表示部２０の表示例（第２図（ａ）参照）、皮膚２が熱傷（ＩＩＩ度）を負った場合の画像表示部２０の表示例（第２図（ｂ）参照）を示す図である。
熱傷は、熱傷が到達した深度によりＩ度（表皮の角質層まで）、ＩＩ度、ＩＩＩ度（真皮全層および皮下組織まで）に分類される。また、表皮には血流が無いが、真皮には毛細血管があり、血流がある。さらに、熱傷がＩＩ度であれば、真皮の少なくとも一部が熱傷を免れており、真皮内に血流がある。一方、熱傷がＩＩＩ度であれば、真皮の全てが熱傷を受けており、真皮内に血流が無いことになる。
第２図を参照して、診断部１８による熱傷の診断原理を説明する。第２図において、ｄは深度、ｘは皮膚表面の任意の直線の軸を示す。皮膚表面からの表皮および真皮の深度は、おおむね既知であり、第２図に図示してある。
第２図（ａ）を参照して、画像表示部２０は、血液２０ａ、２０ｂ、２０ｃを表示する。真皮の深度において、血液２０ａがあるので、血流もあるものと推測され、熱傷がＩＩ度であることが分かる。なお、熱傷がＩ度あるいは熱傷を負っていないということも考えられるが、そのような場合は、皮膚２の外観から容易に分かる。
第２図（ｂ）を参照して、画像表示部２０は、血液２０ｂ、２０ｃを表示する。真皮の深度において、血液が無いので、血流も無いものと推測され、熱傷がＩＩＩ度であることが分かる。
なお、熱傷の診断について説明したが、熱傷に限らず、皮膚の状態の診断であれば診断部１８による可能である。例えば、壊疽（例えば、糖尿病によるもの）および褥瘡（床ずれ）の診断も可能である。すなわち、真皮の全てが損傷しているのか、それとも、真皮の少なくとも一部が損傷を免れているのかによって、真皮内の血流の有無が分かれるので、真皮内の血液の有無により、真皮の損傷状態（壊疽および褥瘡の進行状態に対応）が診断できる。また、化学暴露、薬剤分布、化粧品の浸透度測定も可能である。
なお、パルス光の波長は、２種類以上の波長成分を有していてもよいことは先に説明した。この場合、診断部１８は、各波長成分に対応する電気信号に基づき、皮膚２に存在する物質の状態を診断する。皮膚に存在する物質とは、例えば、酸素化ヘモグロビンおよび脱酸素化ヘモグロビンである。
酸素化ヘモグロビンにおいて、脱酸素化ヘモグロビンよりも吸収されやすい波長λａと、脱酸素化ヘモグロビンにおいて、酸素化ヘモグロビンよりも吸収されやすい波長λｂとをパルス光の波長が有するものとする。
波長λａにより生じた光音響信号に対応する電気信号の強さが、波長λｂにより生じた光音響信号に対応する電気信号の強さよりも高い場合、その血液は酸素化ヘモグロビンが脱酸素化ヘモグロビンよりも多いということが診断できる。
波長λｂにより生じた光音響信号に対応する電気信号の強さが、波長λａにより生じた光音響信号に対応する電気信号の強さよりも高い場合、その血液は脱酸素化ヘモグロビンが酸素化ヘモグロビンよりも多いということが診断できる。
次に、本発明の実施形態の動作を説明する。
まず、光源１０からパルス光が皮膚２に与えられ、血管２ａに到達する。すると、血管２ａがパルス光を吸収し、暖められ、断熱膨張する。これにより、血管２ａから疎密波（光音響波）が出力される。
光音響波は、超音波トランスデューサ１２に到達する。超音波トランスデューサ１２は、光音響波による圧力を、電気信号（例えば、電圧）に変換する。この電圧が、Ａ／Ｄコンバータ１４によりデジタル信号に変換されて、血液分布取得部１６に与えられる。
血液分布取得部１６は、診断部１８および画像表示部２０に取得結果を与える。診断部１８は、第２図に示すような診断を行い、画像表示部２０に与える。画像表示部２０は、血液分布取得部１６の取得結果に、診断部１８による診断結果を重ねて表示する。
本発明の実施形態にかかる光音響診断装置１によれば、人体の皮膚２の診断を行うことができる。
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータに、上記の各部分、例えば、血液分布取得部１６および診断部１８を実現するプログラムを記録したメディアを読み取らせて、ハードディスクにインストールする。このような方法でも、上記の機能を実現できる。
【図１】
2013183401.tif 000003
【図２】
2013183401.tif 000004
【手続補正書】
【提出日】平成27年3月16日(2015.3.16)
【手続補正１】
【補正対象書類名】特許請求の範囲
【補正対象項目名】全文
【補正方法】変更
【補正の内容】
【特許請求の範囲】
【請求項１】
人体の皮膚の状態を表示する光音響表示装置であって、
パルス光を発生するパルス光源と、
前記パルス光により前記皮膚において発生した光音響波を受けて、電気信号に変換する電気信号変換部と、
前記電気信号に基づき、前記皮膚における血液の分布を取得する血液分布取得部と、
前記血液分布取得部の取得結果を表示する表示部と、
を備えた光音響表示装置。
【請求項２】
請求項１に記載の光音響表示装置であって、
前記表示部は、前記皮膚の表皮または真皮における血液の分布を表示する、
光音響表示装置。
【請求項３】
請求項２に記載の光音響表示装置であって、
前記表示部は、熱傷の前記皮膚の表皮または真皮における血液の分布を表示する、
光音響表示装置。
【請求項４】
請求項２に記載の光音響表示装置であって、
前記表示部は、壊疽の前記皮膚の表皮または真皮における血液の分布を表示する、
光音響表示装置。
【請求項５】
請求項２に記載の光音響表示装置であって、
前記表示部は、褥瘡の前記皮膚の表皮または真皮における血液の分布を表示する、
光音響表示装置。
【請求項６】
請求項１に記載の光音響表示装置であって、
前記血液分布取得部の取得結果に基づき、前記皮膚の状態を診断する診断部をさらに備え、
前記パルス光が２種類以上の波長成分を有し、
前記診断部は、各波長成分に対応する前記電気信号に基づき、前記皮膚に存在する物質の状態を診断する、
光音響表示装置。
【請求項７】
請求項６に記載の光音響表示装置であって、
前記皮膚に存在する物質は、酸素化ヘモグロビンおよび脱酸素化ヘモグロビンである、
光音響表示装置。
【請求項８】
請求項１に記載の光音響表示装置であって、
前記パルス光源がファイバーレーザーである光音響表示装置。
【請求項９】
人体の皮膚の状態を診断する光音響表示装置であって、パルス光を発生するパルス光源と、前記パルス光により前記皮膚において発生した光音響波を受けて、電気信号に変換する電気信号変換部とを有する光音響表示装置を用いた光音響表示方法であって、
前記電気信号に基づき、前記皮膚における血液の分布を取得する血液分布取得工程と、
前記血液分布取得工程の取得結果を表示する表示工程と、
を備えた光音響表示方法。
【請求項１０】
人体の皮膚の状態を診断する光音響表示装置であって、パルス光を発生するパルス光源と、前記パルス光により前記皮膚において発生した光音響波を受けて、電気信号に変換する電気信号変換部とを有する光音響表示装置を用いた光音響表示処理をコンピュータに実行させるためのプログラムであって、
前記光音響表示処理が、
前記電気信号に基づき、前記皮膚における血液の分布を取得する血液分布取得工程と、
前記血液分布取得工程の取得結果を表示する表示工程と、
を備えたプログラム。
【請求項１１】
人体の皮膚の状態を診断する光音響表示装置であって、パルス光を発生するパルス光源と、前記パルス光により前記皮膚において発生した光音響波を受けて、電気信号に変換する電気信号変換部とを有する光音響表示装置を用いた光音響表示処理をコンピュータに実行させるためのプログラムを記録したコンピュータによって読み取り可能な記録媒体であって、
前記光音響表示処理が、
前記電気信号に基づき、前記皮膚における血液の分布を取得する血液分布取得工程と、
前記血液分布取得工程の取得結果を表示する表示工程と、
を備えた記録媒体。
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
人体の皮膚の状態を表示する光音響表示装置であって、
パルス光を発生するパルス光源と、
前記パルス光により前記皮膚において発生した光音響波を受けて、電気信号に変換する電気信号変換部と、
前記電気信号に基づき、前記皮膚における血液の分布を取得する血液分布取得部と、
前記血液分布取得部の取得結果を表示する表示部と、
を備えた光音響表示装置。
【請求項２】
請求項１に記載の光音響表示装置であって、
前記表示部は、前記皮膚の表皮または真皮における血液の分布を表示する、
光音響表示装置。
【請求項３】
請求項２に記載の光音響表示装置であって、
前記表示部は、熱傷の前記皮膚の表皮または真皮における血液の分布を表示する、
光音響表示装置。
【請求項４】
請求項２に記載の光音響表示装置であって、
前記表示部は、壊疽の前記皮膚の表皮または真皮における血液の分布を表示する、
光音響表示装置。
【請求項５】
請求項２に記載の光音響表示装置であって、
前記表示部は、褥瘡の前記皮膚の表皮または真皮における血液の分布を表示する、
光音響表示装置。
【請求項６】
請求項１に記載の光音響表示装置であって、
前記血液分布取得部の取得結果に基づき、前記皮膚の状態を診断する診断部をさらに備え、
前記パルス光が２種類以上の波長成分を有し、
前記診断部は、各波長成分に対応する前記電気信号に基づき、前記皮膚に存在する物質の状態を診断する、
光音響表示装置。
【請求項７】
請求項６に記載の光音響表示装置であって、
前記皮膚に存在する物質は、酸素化ヘモグロビンおよび脱酸素化ヘモグロビンである、
光音響表示装置。
【請求項８】
請求項１に記載の光音響表示装置であって、
前記パルス光源がファイバーレーザーである光音響表示装置。
【請求項９】
人体の皮膚の状態を表示する光音響表示装置であって、パルス光を発生するパルス光源と、前記パルス光により前記皮膚において発生した光音響波を受けて、電気信号に変換する電気信号変換部とを有する光音響表示装置を用いた光音響表示方法であって、
前記電気信号に基づき、前記皮膚における血液の分布を取得する血液分布取得工程と、
前記血液分布取得工程の取得結果を表示する表示工程と、
を備えた光音響表示方法。
【請求項１０】
人体の皮膚の状態を表示する光音響表示装置であって、パルス光を発生するパルス光源と、前記パルス光により前記皮膚において発生した光音響波を受けて、電気信号に変換する電気信号変換部とを有する光音響表示装置を用いた光音響表示処理をコンピュータに実行させるためのプログラムであって、
前記光音響表示処理が、
前記電気信号に基づき、前記皮膚における血液の分布を取得する血液分布取得工程と、
前記血液分布取得工程の取得結果を表示する表示工程と、
を備えたプログラム。
【請求項１１】
人体の皮膚の状態を表示する光音響表示装置であって、パルス光を発生するパルス光源と、前記パルス光により前記皮膚において発生した光音響波を受けて、電気信号に変換する電気信号変換部とを有する光音響表示装置を用いた光音響表示処理をコンピュータに実行させるためのプログラムを記録したコンピュータによって読み取り可能な記録媒体であって、
前記光音響表示処理が、
前記電気信号に基づき、前記皮膚における血液の分布を取得する血液分布取得工程と、
前記血液分布取得工程の取得結果を表示する表示工程と、
を備えた記録媒体。
【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
人体の皮膚の状態を表示する光音響表示装置であって、
パルス光を発生するパルス光源と、
前記パルス光により前記皮膚において発生した光音響波を受けて、電気信号に変換する電気信号変換部と、
前記電気信号に基づき、前記皮膚における血液の分布を取得する血液分布取得部と、
前記血液分布取得部の取得結果を表示する表示部と、
を備え、
前記表示部は、さらに、前記皮膚の表皮および真皮の、前記皮膚の深さ方向の位置をも表示する、
光音響表示装置。
【請求項２】
請求項１に記載の光音響表示装置であって、
前記表示部は、前記皮膚の表皮または真皮における血液の分布を表示する、
光音響表示装置。
【請求項３】
請求項２に記載の光音響表示装置であって、
前記表示部は、熱傷の前記皮膚の表皮または真皮における血液の分布を表示する、
光音響表示装置。
【請求項４】
請求項２に記載の光音響表示装置であって、
前記表示部は、壊疽の前記皮膚の表皮または真皮における血液の分布を表示する、
光音響表示装置。
【請求項５】
請求項２に記載の光音響表示装置であって、
前記表示部は、褥瘡の前記皮膚の表皮または真皮における血液の分布を表示する、
光音響表示装置。
【請求項６】
請求項１に記載の光音響表示装置であって、
前記血液分布取得部の取得結果に基づき、前記皮膚の状態を診断する診断部をさらに備え、
前記パルス光が２種類以上の波長成分を有し、
前記診断部は、各波長成分に対応する前記電気信号に基づき、前記皮膚に存在する物質の状態を診断する、
光音響表示装置。
【請求項７】
請求項６に記載の光音響表示装置であって、
前記皮膚に存在する物質は、酸素化ヘモグロビンおよび脱酸素化ヘモグロビンである、
光音響表示装置。
【請求項８】
請求項１に記載の光音響表示装置であって、
前記パルス光源がファイバーレーザーである光音響表示装置。
【請求項９】
人体の皮膚の状態を表示する光音響表示装置であって、パルス光を発生するパルス光源と、前記パルス光により前記皮膚において発生した光音響波を受けて、電気信号に変換する電気信号変換部とを有する光音響表示装置を用いた光音響表示方法であって、
前記電気信号に基づき、前記皮膚における血液の分布を取得する血液分布取得工程と、
前記血液分布取得工程の取得結果を表示する表示工程と、
を備え、
前記表示工程は、さらに、前記皮膚の表皮および真皮の、前記皮膚の深さ方向の位置をも表示する、
光音響表示方法。
【請求項１０】
人体の皮膚の状態を表示する光音響表示装置であって、パルス光を発生するパルス光源と、前記パルス光により前記皮膚において発生した光音響波を受けて、電気信号に変換する電気信号変換部とを有する光音響表示装置を用いた光音響表示処理をコンピュータに実行させるためのプログラムであって、
前記光音響表示処理が、
前記電気信号に基づき、前記皮膚における血液の分布を取得する血液分布取得工程と、
前記血液分布取得工程の取得結果を表示する表示工程と、
を備え、
前記表示工程は、さらに、前記皮膚の表皮および真皮の、前記皮膚の深さ方向の位置をも表示する、
プログラム。
【請求項１１】
人体の皮膚の状態を表示する光音響表示装置であって、パルス光を発生するパルス光源と、前記パルス光により前記皮膚において発生した光音響波を受けて、電気信号に変換する電気信号変換部とを有する光音響表示装置を用いた光音響表示処理をコンピュータに実行させるためのプログラムを記録したコンピュータによって読み取り可能な記録媒体であって、
前記光音響表示処理が、
前記電気信号に基づき、前記皮膚における血液の分布を取得する血液分布取得工程と、
前記血液分布取得工程の取得結果を表示する表示工程と、
を備え、
前記表示工程は、さらに、前記皮膚の表皮および真皮の、前記皮膚の深さ方向の位置をも表示する、
記録媒体。
【国際調査報告】
2013183401.tif 000005
2013183401.tif 000006
2013183401.tif 000007
2013183401.tif 000008
2013183401.tif 000009
2013183401.tif 000010